【事件の表示】
　平成　９年特許願第１４６５１０号「情報処理機器用メッセージ伝送システム」拒絶査定不服審判事件〔平成１０年１２月１８日出願公開、特開平１０−３３６７７２〕について、次のとおり審決する。
【結　論】
　本件審判の請求は、成り立たない。
【理　由】
１．手続の経緯・本願発明
　本願は、平成９年６月４日の出願であって、その請求項１に係る発明は、平成１４年７月１日付けの手続補正書により補正された明細書及び図面の記載からみて、特許請求の範囲の請求項１に記載されたとおりの次のものと認める。（以下、「本願発明」という。）
「ディスプレイを付属しているまたは付属することが可能な情報処理機器と、この情報処理機器の前記ディスプレイにオンスクリーン表示するためのオンスクリーン表示機能を備えた受信手段と、この受信手段に対してメッセージを送信するリモートコントロール送信機とを備え、前記受信手段は前記リモートコントロール送信機から受信したメッセージを前記ディスプレイにオンスクリーン表示させる機能と、メッセージを受信したときに、前記ディスプレイにその受信したメッセージをオンスクリーン表示するに際して、そのオンスクリーン表示を設定されたメッセージ表示設定時間にわたって継続するためのタイマー手段とを備えた情報処理機器用メッセージ伝送システムであって、
　前記リモートコントロール送信機は、それに具備している複数の操作キーのうち１つの操作キーを押し操作したときに該当するキーコードを送信するとともに、所定の２つまたはそれ以上の操作キーを同時に押し操作したときに表示時間設定コードを送信し、
　前記受信手段は、前記表示時間設定コードを１回目に受信したときに、メッセージ表示時間設定モードに入り、このメッセージ表示時間設定モード中に、前記同時に押し操作した操作キーの内の１つに該当するキーコードを受信した場合に、このキーコードに基づきメッセージ表示時間の設定変更が行われ、前記表示時間設定コードを２回目に受信したときに、メッセージ表示時間設定モードから元に戻るとともに、前記タイマー手段にその変更されたメッセージ表示設定時間を設定する手段を備えていることを特徴とする情報処理機器用メッセージ伝送システム。」
　　
２．引用例
　これに対して、原査定の拒絶の理由に引用された特開平５−３００４４４号公報（以下、「引用例１」という。）、及び、特開平５−２５２４６０号公報（以下、「引用例２」という。）には、それぞれ、図面とともに次の事項が記載されている。
　
［引用例１］
Ａ．「図１は、本発明によるパソコン用チューナカードの周辺機器との接続を示すブロック図である。１はアンテナ信号７、ビデオ信号８及びリモコンコード信号２１を入力し、信号処理し、Ｒ、Ｇ、Ｂ信号及びＨ同期、Ｖ同期２３を出力すると共に、音声処理・増幅部５へ音声中間周波信号出力するパソコン用チューナカードである。２は、前記Ｒ、Ｇ、Ｂ信号及びＨ同期、Ｖ同期２３を入力し、自然画の絵を映すパソコンのＣＲＴディスプレイである。３は音量を調整したＬ及びＲ音声信号２２を入力するパソコンのスピーカ部である。４はリモコン信号を受信し、リモコンコード信号２１を出力するリモコン受信部である。５は音声中間周波信号をＦＭ検波し、音声多重復調し、音量を調整したＬ及びＲ音声信号２２を生成すると共に、スピーカ部３に出力する音声処理・増幅部である。」（第２頁右欄第３０〜４４行、及び図１参照）
Ｂ．「動作を説明する。アンテナ信号７を供給しておき、例えば、リモコンでテレビのチャンネル１を指示すると、チューナ・ＩＦ部１０はチャンネル１を選局し、ベースバンドのビデオ信号及び音声中間周波信号を生成する等し、音声処理部１１及び音量調整部１２が音声信号の処理をし、予め決められた音量でスピーカ部３よりチャンネル１の音声がステレオで発生する。同時に、Ｙ／Ｃ分離部１７、色信号再生部１３及び同期分離部１６が映像信号の処理をすることにより、ＣＲＴディスプレイ２にＲ、Ｇ、Ｂ信号及びＨ同期、Ｖ同期２３を供給することができ、チャンネル１の絵がパソコンのＣＲＴディスプレイで見られる。尚、音量はリモコンで適宜好みの大きさに、音量調整部１２を制御することで得られる。また、外部より供給する信号、例えば、ホームビデオのＳ出力とＬ及びＲ音声信号２０とは、それぞれ第二のスイッチ１８及び第三のスイッチ１９を、リモコンでＳ端子を選択することにより、デコード・制御部１５が制御し、前記ホームビデオのＳ出力の絵とＬ及びＲ音声信号２０の音声がＣＲＴディスプレイ２及びスピーカ部３に得られる。また、テレビのチャンネル表示等の表示は、色信号再生部１３の直後に信号切り換え器を設け、前記色信号再生部１３の生成するＲ、Ｇ、Ｂ信号を、オンスクリーン表示用の信号発生器からのＲ、Ｇ、Ｂ信号と画素単位で切り換えることにより、ＣＲＴディスプレイ２にオンスクリーン表示しても良い。」（第３頁左欄第１９行〜右欄第４行、及び図２参照）
　
　上記Ｂの記載において、「リモコンでテレビのチャンネル１を指示すると、チューナ・ＩＦ部１０はチャンネル１を選局し、ベースバンドのビデオ信号及び音声中間周波信号を生成する等し」とあり、上記「リモコン」は、「それに具備している複数の操作キーのうち１つの操作キーを押し操作したときに該当するキーコードを送信する」機能を有するものと解される。
　よって、引用例１の上記Ａ，Ｂの記載、及び図１，２を参照すると、引用例１には、次の発明が記載されているものと認められる。（以下、「引用例１記載の発明」という。）
「ＣＲＴディスプレイ２を付属しているパソコンと、このパソコンの前記ＣＲＴディスプレイ２にオンスクリーン表示するためのオンスクリーン表示機能を備えたリモコン受信部４及びパソコン用チューナカード１よりなる受信手段と、このリモコン受信部４及びパソコン用チューナカード１よりなる受信手段に対してチャンネル情報等を送信するリモコンとを備え、前記リモコン受信部４及びパソコン用チューナカード１よりなる受信手段は前記リモコンから受信したチャンネル情報等を前記ＣＲＴディスプレイ２にオンスクリーン表示させる機能を備えたパソコン用情報伝送システムであって、
　前記リモコンは、それに具備している複数の操作キーのうち１つの操作キーを押し操作したときに該当するキーコードを送信するものであるパソコン用情報伝送システム。」
　
［引用例２］
Ｃ．「【実施例】図１は、本発明による画面内表示情報の表示時間選択装置の概念的な構成を示すブロック図であり、１は映像信号が供給されて所望の映像を映出するためのＣＲＴディスプレイを有する映像表示機器、２はＣＲＴ表示面に映出映像以外の情報を表示するための表示情報信号を映像表示機器１に供給する表示映像制御手段を示している。そして、表示映像制御手段２は、表示情報発生機能３、表示時間設定機能４および表示情報別表示頻度集計機能５を備えている。
【０００７】表示映像制御手段２の表示情報発生機能３は、ユーザが映像表示機器１を操作あるいは制御するために入力したコントロール情報に応じて、ＣＲＴ表示面に必要な表示を行うための表示情報信号を発生して映像表示機器１に供給する。その際、表示時間設定機能４がユーザからの設定指令入力を受けて表示時間を選択的に設定し、その設定出力により表示情報発生機能３を制御して表示情報の表示時間をユーザの好みに応じたものとすることができる。」（第２頁右欄第５〜２２行、及び図１参照）
　
　引用例２の上記Ｃの記載、及び図１を参照すると、引用例２には、次の技術が記載されているものと認められる。
「映像表示機器において、画面内表示情報の表示時間をユーザが任意に設定する表示時間設定機能を備えるようにすること。」
　
 ３．対比
　本願発明と引用例１記載の発明とを対比すると、まず、引用例１記載の発明における「ＣＲＴディスプレイ２」、「パソコン」、「リモコン受信部４及びパソコン用チューナカード１よりなる受信手段」、「リモコン」は、それぞれ、本願発明における「ディスプレイ」、「情報処理機器」、「受信手段」、「リモートコントロール送信機」に対応する構成であるものと認められる。
　また、引用例１記載の発明における「パソコン」は、「ＣＲＴディスプレイ」を付属しているのであるから、「ＣＲＴディスプレイ」を付属することが可能であることは明らかである。
　そして、引用例１記載の発明における「チャンネル情報等」と、本願発明における「メッセージ」は、ともに「情報」であるということができ、引用例１記載の発明の「パソコン用情報伝送システム」と、本願発明の「情報処理機器用メッセージ伝送システム」は、ともに「情報処理機器用情報伝送システム」であるということができる。
　
　したがって、本願発明と引用例１記載の発明とは、
「ディスプレイを付属しているまたは付属することが可能な情報処理機器と、この情報処理機器の前記ディスプレイにオンスクリーン表示するためのオンスクリーン表示機能を備えた受信手段と、この受信手段に対して情報を送信するリモートコントロール送信機とを備え、前記受信手段は前記リモートコントロール送信機から受信した情報を前記ディスプレイにオンスクリーン表示させる機能を備えた情報処理機器用情報伝送システムであって、
　前記リモコンは、それに具備している複数の操作キーのうち１つの操作キーを押し操作したときに該当するキーコードを送信するものである情報処理機器用情報伝送システム。」
である点で一致し、次の点で相違する。
　相違点（１）：リモートコントロール送信機が送信する情報が、本願発明においては、「メッセージ」であるのに対し、引用例１記載の発明においては、「チャンネル情報等」である点。
　相違点（２）：本願発明は、「メッセージを受信したときに、前記ディスプレイにその受信したメッセージをオンスクリーン表示するに際して、そのオンスクリーン表示を設定されたメッセージ表示設定時間にわたって継続するためのタイマー手段」を備えるのに対し、引用例１記載の発明は、そのような手段を備えていない点。
　相違点（３）：本願発明における「リモートコントロール送信機」は、「所定の２つまたはそれ以上の操作キーを同時に押し操作したときに表示時間設定コードを送信」するものであり、また、本願発明における「受信手段」は、「表示時間設定コードを１回目に受信したときに、メッセージ表示時間設定モードに入り、このメッセージ表示時間設定モード中に、同時に押し操作した操作キーの内の１つに該当するキーコードを受信した場合に、このキーコードに基づきメッセージ表示時間の設定変更が行われ、前記表示時間設定コードを２回目に受信したときに、メッセージ表示時間設定モードから元に戻るとともに、タイマー手段にその変更されたメッセージ表示設定時間を設定する手段」を備えるものであるのに対し、引用例１記載の発明における「リモコン」、「リモコン受信部４及びパソコン用チューナカード１よりなる受信手段」は、そのようなものではない点。
　
４．当審の判断
　上記相違点（１）〜（３）について検討する。
［相違点（１）について］
　リモコンを用いる映像表示機器において、チャンネル情報等の制御情報だけでなく、メッセージをリモコンから送信するようにすることは、周知の技術（必要であれば、例えば、特開平８−１８１９３０号公報等を参照されたい。）にすぎないから、引用例１記載の発明において、メッセージをリモコンから送信するようにすることは、当業者が適宜に設計できる事項にすぎないものと認められる。
　
［相違点（２）について］
　情報を表示する映像表示機器において、画面内表示情報の表示時間をユーザが任意に設定できるようにすることは、上記引用例２に記載されており、また、時間を設定する手段として「タイマー手段」は常套手段にすぎないから、引用例１記載の発明において、「メッセージを受信したときに、前記ディスプレイにその受信したメッセージをオンスクリーン表示するに際して、そのオンスクリーン表示を設定されたメッセージ表示設定時間にわたって継続するためのタイマー手段」を備えるようにすることは、当業者が適宜に設計できる事項にすぎないものと認められる。
　
［相違点（３）について］
　一般に、リモコンを用いる機器において、リモコンの操作キーに複数の機能を割り当てる場合に、リモコンを、所定の２つの操作キーを同時に押し操作したときに受信側本体のモードを切り換えるための所定の制御情報を送信するようなものとし、受信側では、上記制御情報を１回目に受信したときに、所定のモードに入り、その所定のモード中に、同時に押し操作した操作キーの内の１つに該当するキーコードを受信した場合に、このキーコードに基づき所定のモードにおける制御量の設定変更が行われ、上記制御情報を２回目に受信したときに、上記所定のモードから元に戻るとともに、その変更された制御量を設定するようにすることは、周知の技術（必要であれば、例えば、特開平９−１８９７０号公報の図４とその説明（段落【００２９】〜【００３０】参照）に記載されている、「温度設定モード」と「水位設定モード」の切換え等を参照されたい。）にすぎないから、相違点（３）は、当業者が適宜に設計できる事項にすぎないものと認められる。
　
　そして、本願発明の構成によってもたらされる効果も、引用例１，２に記載の発明及び上記周知の技術から当業者ならば容易に予測することができる程度のものであって、格別のものとはいえない。
　
５．むすび
　したがって、本願発明は、引用例１，２に記載の発明及び上記周知の技術に基いて、当業者が容易に発明をすることができたものであるので、特許法第２９条第２項の規定により特許を受けることができない。
　よって、結論のとおり審決する。